(57)【特許請求の範囲】
【請求項１】
制御部と記憶部と表示部を少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物および前記昇降機に関する設計基準を定めた異なる体系の法規情報を地域別に記憶する法規情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記利用者により入力される適用地域を指定する指定条件に対応する前記法規情報を前記法規情報記憶手段から選択する適用法規選択手段と、前記画面表示手段により表示された前記レイアウト画面に含まれる前記統合ＢＩＭモデルが、前記適用法規選択手段により選択された前記法規情報が示す前記設計基準を満たすか否かを判定する判定手段と、前記判定手段により判定された判定結果を前記表示部に表示させる判定結果表示手段と、を備え、前記判定結果表示手段は、前記判定手段により前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させ、前記判定結果表示手段は、前記昇降機の寸法を確認可能な状態で判定対象の前記ＢＩＭパーツを更に含む前記判定結果を示す画面を前記表示部に表示し、前記判定結果表示手段により前記判定結果を表示した後、前記制御部は、前記画面に表示された前記ＢＩＭパーツを変更し、前記画面生成手段は、前記判定結果表示手段により表示された前記判定結果にしたがって前記制御部により変更された昇降機のＢＩＭパーツを含むレイアウト画面を生成することを特徴とするＢＩＭシステム。
【請求項２】
前記判定結果表示手段は、前記判定手段により前記統合ＢＩＭモデルが前記設計基準を満たさないと判定された場合、警告情報を前記判定結果として前記表示部に表示させることを特徴とする請求項１に記載のＢＩＭシステム。
【請求項３】
前記警告情報は、前記法規情報を満たさないと判定された前記統合ＢＩＭモデルに対する根拠条文を含むことを特徴とする請求項２に記載のＢＩＭシステム。
【請求項４】
前記判定手段は、前記昇降機モデリング手段により作成された前記ＢＩＭパーツが、前記適用法規選択手段により選択された前記法規情報が示す前記設計基準を満たすか否かを判定することを特徴とする請求項１から３のうちいずれか一項に記載のＢＩＭシステム。
【請求項５】
制御部と記憶部とを少なくとも備えたサーバ装置、および、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルを記憶するＢＩＭモデル記憶手段と、前記建築物および前記昇降機に関する設計基準を定めた異なる体系の法規情報を地域別に記憶する法規情報記憶手段と、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、利用者により入力される適用地域を指定する指定条件に対応する前記法規情報を前記法規情報記憶手段から選択する適用法規選択手段と、前記画面表示手段により表示された前記レイアウト画面に含まれる前記統合ＢＩＭモデルが、前記適用法規選択手段により選択された前記法規情報が示す前記設計基準を満たすか否かを判定する判定手段と、前記判定手段により判定された判定結果を前記表示部に表示させる判定結果表示手段と、を備え、前記判定結果表示手段は、前記判定手段により前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させ、前記判定結果表示手段は、前記昇降機の寸法を確認可能な状態で判定対象の前記ＢＩＭパーツを更に含む前記判定結果を示す画面を前記表示部に表示し、前記判定結果表示手段により前記判定結果を表示した後、前記制御部は、前記画面に表示された前記ＢＩＭパーツを変更し、前記画面生成手段は、前記判定結果表示手段により表示された前記判定結果にしたがって前記制御部により変更された昇降機のＢＩＭパーツを含むレイアウト画面を生成することを特徴とするＢＩＭシステム。
【請求項６】
制御部と記憶部とを少なくとも備えたサーバ装置、および、制御部と表示部とを少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物および前記昇降機に関する設計基準を定めた異なる体系の法規情報を地域別に記憶する法規情報記憶手段と、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記端末装置から送信される適用地域を指定する指定条件に対応する前記法規情報を前記法規情報記憶手段から選択する適用法規選択手段と、前記統合モデリング手段により作成された前記ＢＩＭモデルが、前記適用法規選択手段により選択された前記法規情報が示す前記設計基準を満たすか否かを判定する判定手段と、前記統合モデリング手段により作成された前記統合ＢＩＭモデルを前記判定手段により判定された判定結果とともに前記端末装置へ送信する情報提供手段と、を備え、前記端末装置の前記制御部は、前記情報提供手段により前記サーバ装置から送信された前記統合ＢＩＭモデルおよび前記判定結果を含むレイアウト画面を生成する画面生成手段と、前記画面生成手段により生成された前記レイアウト画面を前記表示部に表示させる画面表示手段と、を備え、前記画面表示手段は、前記判定手段により前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させ、前記画面表示手段は、前記昇降機の寸法を確認可能な状態で判定対象の前記ＢＩＭパーツを更に含む前記判定結果を示す画面を前記表示部に表示し、前記画面表示手段により前記判定結果を表示した後、前記制御部は、前記画面に表示された前記ＢＩＭパーツを変更し、前記画面生成手段は、前記画面表示手段により表示された前記判定結果にしたがって前記制御部により変更された昇降機のＢＩＭパーツを含むレイアウト画面を生成することを特徴とするＢＩＭシステム。
【請求項７】
制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物および前記昇降機に関する設計基準を定めた異なる体系の法規情報を地域別に記憶する法規情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記利用者により入力される適用地域を指定する指定条件に対応する前記法規情報を前記法規情報記憶手段から選択する適用法規選択ステップと、前記画面表示ステップにて表示された前記レイアウト画面に含まれる前記統合ＢＩＭモデルが、前記適用法規選択ステップにて選択された前記法規情報が示す前記設計基準を満たすか否かを判定する判定ステップと、前記判定ステップにて判定された判定結果を前記表示部に表示させる判定結果表示ステップと、を含み、前記判定結果表示ステップにおいて、前記判定ステップにて前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させ、前記判定結果表示ステップにおいて、前記昇降機の寸法を確認可能な状態で判定対象の前記ＢＩＭパーツを更に含む前記判定結果を示す画面を前記表示部に表示し、前記判定結果表示ステップにて前記判定結果を表示した後、前記制御部において実行される、前記画面に表示された前記ＢＩＭパーツを変更する変更ステップを更に含み、前記画面生成ステップにおいて、前記判定結果表示ステップにて表示された前記判定結果にしたがって前記変更ステップにて変更された昇降機のＢＩＭパーツを含むレイアウト画面を生成することを特徴とする方法。
【請求項８】
制御部と記憶部とを少なくとも備えたサーバ装置、および、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記端末装置の前記記憶部は、前記ＢＩＭモデルを記憶するＢＩＭモデル記憶手段と、前記建築物および前記昇降機に関する設計基準を定めた異なる体系の法規情報を地域別に記憶する法規情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、前記端末装置の前記制御部において実行される、前記統合モデリングステップにて作成された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、前記端末装置の前記制御部において実行される、利用者により入力される適用地域を指定する指定条件に対応する前記法規情報を前記法規情報記憶手段から選択する適用法規選択ステップと、前記端末装置の前記制御部において実行される、前記画面表示ステップにて表示された前記レイアウト画面に含まれる前記統合ＢＩＭモデルが、前記適用法規選択ステップにて選択された前記法規情報が示す前記設計基準を満たすか否かを判定する判定ステップと、前記端末装置の前記制御部において実行される、前記判定ステップにて判定された判定結果を前記表示部に表示させる判定結果表示ステップと、を含み、前記判定結果表示ステップにおいて、前記判定ステップにて前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させ、前記判定結果表示ステップにおいて、前記昇降機の寸法を確認可能な状態で判定対象の前記ＢＩＭパーツを更に含む前記判定結果を示す画面を前記表示部に表示し、前記判定結果表示ステップにて前記判定結果を表示した後、前記制御部において実行される、前記画面に表示された前記ＢＩＭパーツを変更する変更ステップを更に含み、前記画面生成ステップにおいて、前記判定結果表示ステップにて表示された前記判定結果にしたがって前記変更ステップにて変更された昇降機のＢＩＭパーツを含むレイアウト画面を生成することを特徴とする方法。
【請求項９】
制御部と記憶部とを少なくとも備えたサーバ装置、および、制御部と表示部とを少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物および前記昇降機に関する設計基準を定めた異なる体系の法規情報を地域別に記憶する法規情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記サーバ装置の前記制御部において実行される、前記端末装置から送信される適用地域を指定する指定条件に対応する前記法規情報を前記法規情報記憶手段から選択する適用法規選択ステップと、前記サーバ装置の前記制御部において実行される、前記統合モデリングステップにて作成された前記ＢＩＭモデルが、前記適用法規選択ステップにて選択された前記法規情報が示す前記設計基準を満たすか否かを判定する判定ステップと、前記サーバ装置の前記制御部において実行される、前記統合モデリングステップにて作成された前記統合ＢＩＭモデルを前記判定ステップにて判定された判定結果とともに前記端末装置へ送信する情報提供ステップと、前記端末装置の前記制御部において実行される、前記情報提供ステップにて前記サーバ装置から送信された前記統合ＢＩＭモデルおよび前記判定結果を含むレイアウト画面を生成する画面生成ステップと、前記端末装置の前記制御部において実行される、前記画面生成ステップにて生成された前記レイアウト画面を前記表示部に表示させる画面表示ステップと、を含み、前記画面表示ステップにおいて、前記判定ステップにて前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させ、前記画面表示ステップにおいて、前記昇降機の寸法を確認可能な状態で判定対象の前記ＢＩＭパーツを更に含む前記判定結果を示す画面を前記表示部に表示し、前記画面表示ステップにて前記判定結果を表示した後、前記制御部において実行される、前記画面に表示された前記ＢＩＭパーツを変更する変更ステップを更に含み、前記画面生成ステップにおいて、前記画面表示ステップにて表示された前記判定結果にしたがって前記変更ステップにて変更された昇降機のＢＩＭパーツを含むレイアウト画面を生成することを特徴とする方法。
【請求項１０】
制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物および前記昇降機に関する設計基準を定めた異なる体系の法規情報を地域別に記憶する法規情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記利用者により入力される適用地域を指定する指定条件に対応する前記法規情報を前記法規情報記憶手段から選択する適用法規選択ステップと、前記画面表示ステップにて表示された前記レイアウト画面に含まれる前記統合ＢＩＭモデルが、前記適用法規選択ステップにて選択された前記法規情報が示す前記設計基準を満たすか否かを判定する判定ステップと、前記判定ステップにて判定された判定結果を前記表示部に表示させる判定結果表示ステップと、を実行させ、前記判定結果表示ステップにおいて、前記判定ステップにて前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させ、前記判定結果表示ステップにおいて、前記昇降機の寸法を確認可能な状態で判定対象の前記ＢＩＭパーツを更に含む前記判定結果を示す画面を前記表示部に表示し、前記判定結果表示ステップにて前記判定結果を表示した後、前記制御部において、前記画面に表示された前記ＢＩＭパーツを変更する変更ステップを更に実行させ、前記画面生成ステップにおいて、前記判定結果表示ステップにて表示された前記判定結果にしたがって前記変更ステップにて変更された昇降機のＢＩＭパーツを含むレイアウト画面を生成することを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。また、その提案内容は、国内物件に対する昇降機の設備計画に限定されていることが多かった。そこで、近年、昇降機の設備計画を提案する際、建築物に昇降機を組み込んだ状態を視覚的に分かりやすく表示し、かつ、法規が多岐にわたる海外物件等への適合可否についても明確に説明可能な技術が求められていた。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機の設備計画を提案する際、建築物に昇降機を組み込んだ状態を視覚的に分かりやすく表示し、かつ、複数の地域の物件に適用される異なる体系の法規を確認可能なＢＩＭシステム、サーバ装置、端末装置、方法及びプログラムを提供することである。
【課題を解決するための手段】
【０００５】
実施形態のＢＩＭシステムは、制御部と記憶部と表示部を少なくとも備える。前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記建築物および前記昇降機に関する設計基準を定めた異なる体系の法規情報を地域別に記憶する法規情報記憶手段と、を備える。前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記利用者により入力される適用地域を指定する指定条件に対応する前記法規情報を前記法規情報記憶手段から選択する適用法規選択手段と、前記画面表示手段により表示された前記レイアウト画面に含まれる前記統合ＢＩＭモデルが、前記適用法規選択手段により選択された前記法規情報が示す前記設計基準を満たすか否かを判定する判定手段と、前記判定手段により判定された判定結果を前記表示部に表示させる判定結果表示手段と、を備える。前記判定結果表示手段は、前記判定手段により前記統合ＢＩＭモデルが前記法規情報を満たさないと判定された場合、前記統合ＢＩＭモデルが当該法規情報を満たす修正条件を示す修正情報として、前記適用地域の前記設計基準を満たす乗りかごの強度、ドアの耐火性、及び、ロープの太さのうち少なくとも１つを含む修正情報を、前記判定結果として前記表示部に表示させる。前記判定結果表示手段は、前記昇降機の寸法を確認可能な状態で判定対象の前記ＢＩＭパーツを更に含む前記判定結果を示す画面を前記表示部に表示し、前記判定結果表示手段により前記判定結果を表示した後、前記制御部は、前記画面に表示された前記ＢＩＭパーツを変更し、前記画面生成手段は、前記判定結果表示手段により表示された前記判定結果にしたがって前記制御部により変更された昇降機のＢＩＭパーツを含むレイアウト画面を生成する。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、第１の実施形態におけるＢＩＭシステムの処理の一例を示すフローチャートである。
【図４】図４は、昇降機のＢＩＭパーツの一例を示す図である。
【図５】図５は、ＢＩＭモデルにＢＩＭパーツを組み込んだ統合ＢＩＭモデルを含むレイアウト画面の一例を示す図である。
【図６】図６は、適用法規選択画面の一例を示す図である。
【図７】図７は、認定情報を含む判定結果の一例を示す図である。
【図８】図８は、警告情報を含む判定結果の一例を示す図である。
【図９】図９は、判定対象の一例を示す図である。
【図１０】図１０は、根拠条文を示す警告情報を含む判定結果の一例を示す図である。
【図１１】図１１は、修正情報を含む判定結果の一例を示す図である。
【図１２】図１２は、第２の実施形態におけるＢＩＭシステムの構成の一例を示すブロック図である。
【図１３】図１３は、第２の実施形態におけるＢＩＭシステムの処理の一例を示すフローチャートである。
【図１４】図１４は、第３の実施形態におけるＢＩＭシステムの構成の一例を示すブロック図である。
【図１５】図１５は、第３の実施形態におけるＢＩＭシステムの処理の一例を示すフローチャートである。
【発明を実施するための形態】
【０００７】
以下に、実施形態にかかるＢＩＭシステム、サーバ装置、端末装置、方法、および、プログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図１乃至図１１を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成し、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、これに限定されない。
【００１６】
ここで、パーツ情報は、ＢＩＭパーツを構成する各ユニットに関する情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配管・配線等が挙げられる。また、ＢＩＭパーツを構成する各ユニットとしては、昇降機がエスカレータである場合には、トラス、踏段、踏段チェーン、移動手摺、乗降板、欄干、駆動装置、機械室、制御盤、電源設備、各種配管・配線等が挙げられる。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００１８】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件にはこの他、希望の価格、納期等を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。ここで、昇降機モデリング部２０２ｂは、端末装置１００から受信した法規情報が示す設計基準を満たす昇降機のＢＩＭパーツを作成してもよい。この場合、ＢＩＭパーツは、対象の昇降機に関する法規情報を含む。昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツを端末装置１００へ送信する情報提供手段である。
【００２１】
［端末装置１００の構成］
また、図２において、端末装置１００は、サーバ装置２００から送信された昇降機のＢＩＭパーツを、記憶部１０６に記憶された建築物のＢＩＭモデルに組み込んだ統合ＢＩＭモデルを作成し、作成された統合ＢＩＭモデルを含むレイアウト画面を生成し、生成されたレイアウト画面を表示部１１４に表示させる等の機能を有する。また、端末装置１００は、利用者により入力される適用地域を指定する指定条件に対応する法規情報を記憶部１０６から選択し、表示されたレイアウト画面に含まれる統合ＢＩＭモデルが、選択された法規情報が示す設計基準を満たすか否かを判定し、判定された判定結果を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２２】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、表示部１１４、音声出力部１１６、および、入力部１１８等の制御を行う。
【００２３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００２４】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ、法規情報データベース１０６ｂ等）を格納してもよい。ここで、記憶部１０６は、各種のファイル等を一時的に記憶するものであってもよい。
【００２５】
このうち、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数等の構造情報が含まれるが、これに限定されない。なお、ＢＩＭモデルは、このＢＩＭモデル自体に対象の建築物に関連する属性情報を含んでいる。
【００２６】
また、法規情報データベース１０６ｂは、建築物および昇降機に関する設計基準を定めた異なる体系の法規情報を地域別に記憶する法規情報記憶手段である。本実施形態において、地域は、国や行政区分を含む。国の一例としては、例えば、日本、中国、ＵＡＥ、シンガポール、香港、インド、インドネシア、台湾、韓国、タイ、フランス、ドイツ、ＥＵ等が挙げられるが、これに限定されない。行政区分の一例としては、例えば、日本の場合、都道府県、市町村、特別区等を含む。また、中国の場合、省、自治区、直轄市、特別行政区、県、省轄市等を含む。法規情報データベース１０６ｂは、これらの地域に対応づけて各地域の法規情報を記憶する。ここで、設計基準の一例としては、例えば、日本の場合、建築基準法である。また、中国の場合、規格である。本実施形態において、設計基準は、年度別に整理されて記憶される。設計基準は、後述する制御部１０２の処理により根拠条文として示される場合があるため、原文の他、対応する翻訳文も含む。なお、法規情報データベース１０６ｂに記憶される法規情報は、制御部１０２により、定期的に外部の法令データベースサーバ装置等から最新の法規情報が取得されて更新される。
【００２７】
また、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、統合モデリング部１０２ｂ、画面生成部１０２ｃ、画面表示部１０２ｄ、適用法規選択部１０２ｅ、判定部１０２ｆ、および、判定結果表示部１０２ｇを備える。
【００２８】
このうち、作成条件送信部１０２ａは、利用者により入力される作成条件をサーバ装置２００へ送信する作成条件送信手段である。ここで、作成条件は、利用者が所望する昇降機の仕様を示す条件である。上述のように作成条件には希望の価格、納期等を含めてもよい。つまり、作成条件は、建築物のＢＩＭモデルに組込可能な昇降機のＢＩＭパーツを作成するための条件を指定する。また、作成条件は、利用者により入力部１１８を介して入力されたものであってもよいし、予め作成条件が記憶された外部記憶装置（図示せず）から読み込まれたものであってもよい。
【００２９】
また、統合モデリング部１０２ｂは、サーバ装置２００から送信された昇降機のＢＩＭパーツを、ＢＩＭモデルデータベース１０６ａに記憶された建築物のＢＩＭモデルに組み込んだ統合ＢＩＭモデルを作成する統合モデリング手段である。ここで、統合モデリング部１０２ｂは、後述する適用法規選択部１０２ｅにより選択された法規情報が示す設計基準を満たす統合ＢＩＭモデルを作成してもよい。この場合、ＢＩＭモデルは、対象の建築物に関する法規情報を含む。また、統合モデリング部１０２ｂは、作成した統合ＢＩＭモデルを記憶部１０６に格納して、統合ＢＩＭモデルデータベース（図示せず）を構築してもよい。
【００３０】
また、画面生成部１０２ｃは、統合モデリング部１０２ｂにより作成された統合ＢＩＭモデルを含むレイアウト画面を生成する画面生成手段である。ここで、画面生成部１０２ｃは、後述する判定結果表示部１０２ｇにより表示された判定結果にしたがって制御部１０２により変更された昇降機のＢＩＭパーツを含むレイアウト画面を生成してもよい。
【００３１】
また、画面表示部１０２ｄは、画面生成部１０２ｃにより生成されたレイアウト画面を表示部１１４に表示させる画面表示手段である。
【００３２】
また、適用法規選択部１０２ｅは、利用者により入力される適用地域を指定する指定条件に対応する、建築物および昇降機に関する設計基準を定めた異なる体系の法規情報を法規情報データベース１０６ｂから選択する適用法規選択手段である。ここで、指定条件は、利用者により入力部１１８を介して入力されたものであってもよいし、予め指定条件が記憶された外部記憶装置（図示せず）から読み込まれたものであってもよい。
【００３３】
また、判定部１０２ｆは、画面表示部１０２ｄにより表示されたレイアウト画面に含まれる統合ＢＩＭモデルが、適用法規選択部１０２ｅにより選択された法規情報が示す設計基準を満たすか否かを判定する判定手段である。ここで、判定部１０２ｆは、昇降機モデリング部１０２ｂにより作成されたＢＩＭパーツが、適用法規選択部１０２ｅにより選択された法規情報が示す設計基準を満たすか否かを判定してもよい。
【００３４】
また、判定結果表示部１０２ｇは、判定部１０２ｆにより判定された判定結果を表示部１１４に表示させる判定結果表示手段である。ここで、判定結果表示部１０２ｇは、判定部１０２ｆにより統合ＢＩＭモデルが設計基準を満たさないと判定された場合、警告情報を判定結果として表示部１１４に表示させる。警告情報は、法規情報を満たさないと判定された統合ＢＩＭモデルに対する根拠条文を含んでもよい。また、判定結果表示部１０２ｇは、判定部１０２ｆにより統合ＢＩＭモデルが法規情報を満たさないと判定された場合、統合ＢＩＭモデルが当該法規情報を満たす修正条件を示す修正情報を判定結果として表示部１１４に表示させてもよい。また、判定結果表示部１０２ｇは、判定部１０２ｆにより統合ＢＩＭモデルが法規情報を満たすと判定された場合、統合ＢＩＭモデルが当該法規情報を満たすことを認定する認定情報を判定結果として表示部１１４に表示させる。
【００３５】
以上で、第１の実施形態におけるＢＩＭシステムの構成の一例の説明を終える。
【００３６】
［第１の実施形態におけるＢＩＭシステムの処理］
次に、このように構成された第１の実施形態におけるＢＩＭシステムの処理の一例について、以下に図３乃至図１１を参照して詳細に説明する。図３は、第１の実施形態におけるＢＩＭシステムの処理の一例を示すフローチャートである。
【００３７】
図３に示すように、端末装置１００の作成条件送信部１０２ａは、利用者により入力される作成条件をサーバ装置２００へ送信する（ステップＳＡ−１）。
【００３８】
そして、サーバ装置２００の作成条件受信部２０２ａは、ステップＳＡ−１にて作成条件送信部１０２ａの処理により送信される作成条件を受信する（ステップＳＡ−２）。
【００３９】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。例えば、昇降機モデリング部２０２ｂは、図４に示すようなエレベータのＢＩＭパーツを作成する。ここで、図４は、昇降機のＢＩＭパーツの一例を示す図である。図４では、エレベータのＢＩＭパーツが示されている。図４の左側は、昇降路、乗りかご、ガイドレール等のユニットから構成されるＢＩＭパーツであり、図４の右側は、乗り場ホーム関連品の一例である乗降口のドアのユニット等から構成されるＢＩＭパーツである。ここで、ステップＳＡ−３において、昇降機モデリング部２０２ｂは、作成条件を満たす複数の昇降機のＢＩＭパーツを作成してもよい。
【００４０】
そして、サーバ装置２００の情報提供部２０２ｃは、ステップＳＡ−３にて昇降機モデリング部２０２ｂの処理により作成された昇降機のＢＩＭパーツを端末装置１００へ送信する（ステップＳＡ−４）。
【００４１】
そして、端末装置１００の制御部１０２は、ステップＳＡ−４にて情報提供部２０２ｃの処理により送信された昇降機のＢＩＭパーツを受信する（ステップＳＡ−５）。
【００４２】
そして、端末装置１００の統合モデリング部１０２ｂは、ステップＳＡ−５にて制御部１０２の処理により受信された単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−６）。例えば、統合モデリング部１０２ｂは、図５に示すようなエレベータのＢＩＭパーツを建築物のＢＩＭモデルの組み込んだ統合ＢＩＭモデルを作成する。
【００４３】
ここで、図５は、ＢＩＭモデルにＢＩＭパーツを組み込んだ統合ＢＩＭモデルを含むレイアウト画面の一例を示す図である。このレイアウト画面は、後述のステップＳＡ−７の処理により作成される画面である。図５では、建築物の完成時におけるエレベータの設置状態を示す統合ＢＩＭモデルの一部が示されている。ここで、ステップＳＡ−６において、統合モデリング部１０２ｂは、複数の昇降機のＢＩＭパーツから、作成条件に合致する順位にて建築物のＢＩＭモデルに組み込んだ複数の統合ＢＩＭモデルを作成してもよい。
【００４４】
図３に戻り、画面生成部１０２ｃは、ステップＳＡ−６にて統合モデリング部１０２ｂの処理により作成された統合ＢＩＭモデルを含むレイアウト画面を生成する（ステップＳＡ−７）。
【００４５】
そして、画面表示部１０２ｄは、ステップＳＡ−７にて画面生成部１０２ｃの処理により生成されたレイアウト画面を表示部１１４に表示させる（ステップＳＡ−８）。例えば、画面表示部１０２ｄは、上述した図５に示すような統合ＢＩＭモデルを含むレイアウト画面を表示部１１４に表示させる。ここで、ステップＳＡ−８において、画面表示部１０２ｄは、この統合ＢＩＭモデルに組み込まれた昇降機のＢＩＭパーツのパーツ情報をレイアウト画面に含めて表示してもよい。
【００４６】
そして、適用法規選択部１０２ｅは、利用者により入力される適用地域を指定する指定条件に対応する、建築物および昇降機に関する設計基準を定めた異なる体系の法規情報を法規情報データベース１０６ｂから選択する（ステップＳＡ−９）。例えば、適用法規選択部１０２ｅは、図６に示すような複数の適用地域を含む適用法規選択画面を表示して、当該適用法規選択画面にて利用者により選択された適用地域に対応付けられた法規情報を法規情報データベース１０６ｂから検索する。
【００４７】
ここで、図６は、適用法規選択画面の一例を示す図である。図６では、昇降機を納入する適用地域の一例として、中国、ＵＡＥ、シンガポール、香港、インド、インドネシア、台湾、韓国、タイ、フランス、ドイツ、ＥＵにそれぞれ対応するオブジェクトが表示されている。利用者は、これらのオブジェクトを選択することで、所望の適用地域を選択することができる。この適用法規選択画面は、例えば、利用者により端末装置１００の所定ボタンが押下されると、表示部１１４に表示される。なお、図示しないが、図６の適用法規選択画面に、日本に対応するオブジェクトが表示されていてもよい。ここで、ステップＳＡ−９において、適用法規選択部１０２ｅは、複数の適用地域にそれぞれ対応する複数の法規情報を選択してもよい。
【００４８】
再び図３に戻り、判定部１０２ｆは、ステップＳＡ−８にて画面表示部１０２ｄの処理により表示されたレイアウト画面に含まれる統合ＢＩＭモデルが、ステップＳＡ−９にて適用法規選択部１０２ｅの処理により選択された法規情報が示す設計基準を満たすか否かを判定する（ステップＳＡ―１０）。ここで、ステップＳＡ−１０において判定部１０２ｆは、複数の昇降機の統合ＢＩＭモデルがある場合、各統合ＢＩＭモデルについて設計基準を満たすか否かを判定する。
【００４９】
そして、判定結果表示部１０２ｇは、ステップＳＡ−１０にて判定部１０２ｆの処理により判定された判定結果を表示部１１４に表示させる（ステップＳＡ−１１またはＳＡ−１２）。以下、ステップＳＡ−１１またはＳＡ−１２の処理により表示される判定結果の一例として、図７〜図１１を参照して説明する。ここで、図７は、認定情報を含む判定結果の一例を示す図である。図８は、警告情報を含む判定結果の一例を示す図である。図９は、判定対象の一例を示す図である。図１０は、根拠条文を示す警告情報を含む判定結果の一例を示す図である。図１１は、修正情報を含む判定結果の一例を示す図である。
【００５０】
具体的には、判定結果表示部１０２ｇは、ステップＳＡ−１０にて判定部１０２ｆの処理により統合ＢＩＭモデルが法規情報を満たすと判定された場合（ステップＳＡ−１０：Ｙｅｓ）、統合ＢＩＭモデルが当該法規情報を満たすことを認定する認定情報を判定結果として表示部１１４に表示させる（ステップＳＡ−１１）。
【００５１】
例えば、判定結果表示部１０２ｇは、図７に示すような、適用地域、認定情報、判定対象の統合ＢＩＭモデルを含む判定結果を示す画面を表示部１１４に表示させる。図７では、画面左上に適用地域として「中国」を表示し、画面左下に認定情報として「中国の設計基準を満たします。」との文字データを表示し、画面右側の判定対象の統合ＢＩＭモデルおよびその二次元図面を表示している。
【００５２】
再び図３に戻り、一方、判定結果表示部１０２ｇは、ステップＳＡ−１０にて判定部１０２ｆの処理により統合ＢＩＭモデルが設計基準を満たさないと判定された場合（ステップＳＡ−１０：Ｎｏ）、警告情報を判定結果として表示部１１４に表示させる（ステップＳＡ−１２）。
【００５３】
例えば、判定結果表示部１０２ｇは、図８に示すような、適用地域、警告情報、判定対象の統合ＢＩＭモデルを含む判定結果を示す画面を表示部１１４に表示させる。図８では、画面左上に適用地域として「ＥＵ」を表示し、画面左下に警告情報として「エラー：寸法不足」との文字データを表示し、画面右側の判定対象の統合ＢＩＭモデルおよびその二次元図面を表示している。ここで、判定結果表示部１０２ｇは、図８のように寸法不足のエラー通知を警告情報として示した場合、利用者が寸法をより詳細に確認できるよう、画面右側に図９に示すような判定対象を表示してもよい。図９では、画面右側に３タイプの乗降口のＢＩＭパーツを表示し、表示画面左側に、エレベータの機械室高さ、オーバヘッド、昇降行程、ピット深さ、間口、奥行等が確認可能な状態で判定対象のＢＩＭパーツを表示している。
【００５４】
また、ステップＳＡ−１２において、判定結果表示部１０２ｇは、図１０に示すような、適用地域、警告情報、判定対象の統合ＢＩＭモデルを含む判定結果を示す画面を表示部１１４に表示させてもよい。図１０の例では、警告情報は、法規情報を満たさないと判定された統合ＢＩＭモデルに対する根拠条文を含んでいる。図１０では、画面左上に適用地域として「ＥＵ」を表示し、画面左下に警告情報として「根拠条文：○条○項・・・」との文字データを表示し、画面右側の判定対象の統合ＢＩＭモデルおよびその二次元図面を表示している。なお、図示しないが、判定結果表示部１０２ｇは、警告情報として根拠条文の原文と対応する翻訳文の両方を表示してもよい。
【００５５】
また、ステップＳＡ−１２において、判定結果表示部１０２ｇは、判定部１０２ｆの処理により統合ＢＩＭモデルが法規情報を満たさないと判定された場合、統合ＢＩＭモデルが当該法規情報を満たす修正条件を示す修正情報を判定結果として表示部１１４に表示させてもよい。例えば、判定結果表示部１０２ｇは、図１１に示すような、適用地域、修正情報、判定対象の統合ＢＩＭモデルを含む判定結果を示す画面を表示部１１４に表示させる。図１１では、画面左上に適用地域として「ＥＵ」を表示し、画面左下に修正情報として「修正案：間口の寸法を○ｍ長くしてください。」との文字データを表示し、画面右側の判定対象の統合ＢＩＭモデルおよびその二次元図面を表示している。この他、図示しないが、判定結果表示部１０２ｇは、適用地域の設計基準を満たす乗りかごの強度、ドアの耐火性、ロープの太さ等を修正情報として表示してもよい。
【００５６】
なお、ステップＳＡ−１２にて判定結果表示部１０２ｇの処理により判定結果を表示した後、制御部１０２は、画面に表示されたＢＩＭパーツを変更してもよい。この場合、図示しないが、上述のステップＳＡ−７の処理に戻り、画面生成部１０２ｃは、ステップＳＡ−１２にて判定結果表示部１０２ｇの処理により表示された判定結果にしたがって制御部１０２により変更された昇降機のＢＩＭパーツを含むレイアウト画面を生成する。
【００５７】
以上で、第１の実施形態におけるＢＩＭシステムの処理の一例の説明を終える。
【００５８】
このように、本実施形態によれば、利用者により入力される適用地域を指定する指定条件に対応する法規情報を選択し、レイアウト画面に含まれる統合ＢＩＭモデルが、選択された法規情報が示す設計基準を満たすか否かを判定した判定結果を表示させるので、利用者は、設計した昇降機および建築物が適用する国の法規を満たすかを確認することができる。例えば、設計した昇降機および建築物が適用する国の法規に適合していない場合、エラーメッセージ等で適合不可である旨を警告することができる。加えて、利用者は、設計した昇降機および建築物が適用する国の法規に適合していない場合、根拠となる法規の条文を確認することができる。このように、利用者は、例えば、海外物件に対して適用される法規を確認することができるので、法規的な懸案事項をあらかじめ除去した上で、海外向けの昇降機および建築物の設計を進めることができる。
【００５９】
［第２の実施形態］
続いて、第２の実施形態について、図１２および図１３を参照して以下に説明する。ここで、図１２は、第２の実施形態におけるＢＩＭシステムの構成の一例を示すブロック図であり、該構成のうち本実施形態に関係する部分を概念的に示している。
【００６０】
なお、第２の実施形態においては、サーバ装置２００側で統合ＢＩＭモデルおよび判定結果を作成し、当該統合ＢＩＭモデルおよび当該判定結果を端末装置１００へ送信している。このように、第２の実施形態は、サーバ装置２００にてサーバ主導で処理を行う点が、その他の実施形態と異なる。
【００６１】
［第２の実施形態におけるＢＩＭシステムの構成］
まず、第２の実施形態におけるＢＩＭシステムの構成の一例について、図１２を参照して以下に説明する。
【００６２】
図１２に示すように、第２の実施形態のサーバ装置２００は、出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００６３】
図１２において、サーバ装置２００は、端末装置１００から送信される作成条件に対応する昇降機のＢＩＭパーツを、記憶部２０６に記憶されたパーツ情報を用いて作成し、作成された昇降機のＢＩＭパーツを、記憶部２０６に記憶された建築物のＢＩＭモデルに組み込んだ統合ＢＩＭモデルを作成し、端末装置１００から送信される適用地域を指定する指定条件に対応する、建築物および昇降機に関する設計基準を定めた異なる体系の法規情報を記憶部２０６から選択し、作成されたＢＩＭモデルが選択された法規情報が示す設計基準を満たすか否かを判定し、ＢＩＭモデルを判定結果とともに端末装置１００へ送信することにより、端末装置１００において、当該統合ＢＩＭモデルおよび当該判定結果を含むレイアウト画面を表示部１１４に表示させる等の機能を有する。
【００６４】
なお、サーバ装置２００における通信制御インターフェース部２０４および記憶部２０６（パーツ情報データベース２０６ａ、ＢＩＭモデルデータベース２０６ｂ、および、法規情報データベース２０６ｃ等）の機能、また、端末装置１００における表示部１１４、音声出力部１１６、および、入力部１１８の機能は、第１の実施形態と同様であるため説明を省略する。
【００６５】
また、図１２において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、情報提供部２０２ｃ、統合モデリング部２０２ｄ、適用法規選択部２０２ｅ、および、判定部２０２ｆを備える。なお、作成条件受信部２０２ａおよび昇降機モデリング部２０２ｂの機能は、第１の実施形態と同様であるため説明を省略する。以下、説明を簡単にするため、統合モデリング部２０２ｄ〜判定部２０２ｆを先に説明し、情報提供部２０２ｃを最後に説明する。
【００６６】
このうち、統合モデリング部２０２ｄは、昇降機モデリング部２０２ｂにより作成された昇降機のＢＩＭパーツを、ＢＩＭモデルデータベース２０６ｂに記憶された建築物のＢＩＭモデルに組み込んだ統合ＢＩＭモデルを作成する統合モデリング手段である。ここで、統合モデリング部２０２ｄは、後述する適用法規選択部２０２ｅにより選択された法規情報が示す設計基準を満たす統合ＢＩＭモデルを作成してもよい。また、統合モデリング部２０２ｄは、作成した統合ＢＩＭモデルを記憶部２０６に格納して、統合ＢＩＭモデルデータベース（図示せず）を構築してもよい。
【００６７】
また、適用法規選択部２０２ｅは、端末装置１００から送信される適用地域を指定する指定条件に対応する、建築物および昇降機に関する設計基準を定めた異なる体系の法規情報を法規情報データベース２０６ｃから選択する適用法規選択手段である。ここで、指定条件は、端末装置１００において、利用者により入力部１１８を介して入力されたものであってもよいし、予め指定条件が記憶された外部記憶装置（図示せず）から読み込まれたものであってもよい。
【００６８】
また、判定部２０２ｆは、統合モデリング２０２ｄにより作成された統合ＢＩＭモデルが、適用法規選択部２０２ｅにより選択された法規情報が示す設計基準を満たすか否かを判定する判定手段である。ここで、判定部２０２ｆは、昇降機モデリング部２０２ｂにより作成されたＢＩＭパーツが、適用法規選択部２０２ｅにより選択された法規情報が示す設計基準を満たすか否かを判定してもよい。更に、判定部２０２ｆは、端末装置１００へ送信する判定結果を生成する。具体的には、判定部２０２ｆは、統合ＢＩＭモデルが設計基準を満たさないと判定した場合、警告情報を含む判定結果を生成する。警告情報は、法規情報を満たさないと判定された統合ＢＩＭモデルに対する根拠条文を含んでもよい。また、判定部２０２ｆは、統合ＢＩＭモデルが法規情報を満たさないと判定した場合、統合ＢＩＭモデルが当該法規情報を満たす修正条件を示す修正情報を含む判定結果を生成してもよい。また、判定部２０２ｆは、統合ＢＩＭモデルが法規情報を満たすと判定した場合、統合ＢＩＭモデルが当該法規情報を満たすことを認定する認定情報を含む判定結果を生成する。
【００６９】
また、情報提供部２０２ｃは、統合モデリング部２０２ｄにより作成された統合ＢＩＭモデルを判定部２０２ｆにより判定された判定結果とともに端末装置１００へ送信する情報提供手段である。
【００７０】
なお、図１３において、端末装置１００の制御部１０２は、図示しないが第１の実施形態と同様に、画面生成手段、画面表示手段を備えている。第２の実施形態では、端末装置１００が備える画面生成手段がサーバ装置２００から受信した統合ＢＩＭモデルおよび判定結果を含むレイアウト画面を生成する点を除き、各手段の機能は第１の実施形態と同様であるため説明を省略する。
【００７１】
以上で、第２の実施形態におけるＢＩＭシステムの構成の一例の説明を終える。
【００７２】
［第２の実施形態におけるＢＩＭシステムの処理］
次に、このように構成された第２の実施形態におけるＢＩＭシステムの処理の一例について、以下に図１３を参照して詳細に説明する。図１３は、第２の実施形態におけるＢＩＭシステムの処理の一例を示すフローチャートである。
【００７３】
図１３に示すように、まず、端末装置１００の制御部１０２は、利用者により入力される作成条件をサーバ装置２００へ送信する（ステップＳＢ−１）。
【００７４】
そして、サーバ装置２００の作成条件受信部２０２ａは、ステップＳＢ−１にて制御部１０２の処理により送信される作成条件を受信する（ステップＳＢ−２）。
【００７５】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。例えば、昇降機モデリング部２０２ｂは、上述の図４に示すようなエレベータのＢＩＭパーツを作成する。ここで、ステップＳＢ−３において、昇降機モデリング部２０２ｂは、作成条件を満たす複数の昇降機のＢＩＭパーツを作成してもよい。
【００７６】
そして、サーバ装置２００の統合モデリング部２０２ｄは、ステップＳＢ−３にて昇降機モデリング部２０２ｂの処理により作成された昇降機のＢＩＭパーツを、ＢＩＭモデルデータベース２０６ｂに記憶された建築物のＢＩＭモデルに組み込んだ統合ＢＩＭモデルを作成する（ステップＳＢ−４）。例えば、統合モデリング部２０２ｄは、上述の図５に示すようなエレベータのＢＩＭパーツを建築物のＢＩＭモデルの組み込んだ統合ＢＩＭモデルを作成する。ここで、ステップＳＢ−４において、統合モデリング部２０２ｄは、複数の昇降機のＢＩＭパーツから、作成条件に合致する順位にて建築物のＢＩＭモデルに組み込んだ複数の統合ＢＩＭモデルを作成してもよい。
【００７７】
そして、サーバ装置２００の適用法規選択部２０２ｅは、端末装置１００から送信される適用地域を指定する指定条件に対応する、建築物および昇降機に関する設計基準を定めた異なる体系の法規情報を法規情報データベース２０６ｃから選択する（ステップＳＢ−５）。例えば、適用法規選択部２０２ｅは、上述の図６に示すような複数の適用地域を含む適用法規選択画面を表示して、当該適用法規選択画面にて利用者により選択された適用地域に対応付けられた法規情報を法規情報データベース２０６ｃから検索する。ここで、ステップＳＢ−５において、適用法規選択部２０２ｅは、複数の適用地域にそれぞれ対応する複数の法規情報を選択してもよい。
【００７８】
そして、サーバ装置２００の判定部２０２ｆは、ステップＳＢ−４にて統合モデリング部２０２ｄの処理により作成された統合ＢＩＭモデルが、ステップＳＢ−５にて適用法規選択部２０２ｅの処理により選択された法規情報が示す設計基準を満たすか否かを判定する（ステップＳＢ−６）。ここで、ステップＳＢ−６において判定部２０２ｆは、複数の昇降機の統合ＢＩＭモデルがある場合、各統合ＢＩＭモデルについて設計基準を満たすか否かを判定する。
【００７９】
そして、サーバ装置２００の判定部２０２ｆは、端末装置１００へ送信する判定結果を生成する（ステップＳＢ−７またはＳＢ−８）。
【００８０】
具体的には、サーバ装置２００の判定部２０２ｆは、ステップＳＢ−６にて統合ＢＩＭモデルが法規情報を満たすと判定した場合（ステップＳＢ−６：Ｙｅｓ）、統合ＢＩＭモデルが当該法規情報を満たすことを認定する認定情報を含む判定結果を生成する（ステップＳＢ−７）。
【００８１】
一方、サーバ装置２００の判定部２０２ｆは、ステップＳＢ−６にて統合ＢＩＭモデルが設計基準を満たさないと判定した場合（ステップＳＢ−６：Ｎｏ）、警告情報を含む判定結果を生成する（ステップＳＢ−８）。警告情報は、法規情報を満たさないと判定された統合ＢＩＭモデルに対する根拠条文を含んでもよい。また、ステップＳＢ−８において、判定部２０２ｆは、統合ＢＩＭモデルが法規情報を満たさないと判定した場合、統合ＢＩＭモデルが当該法規情報を満たす修正条件を示す修正情報を含む判定結果を生成してもよい。
【００８２】
そして、サーバ装置２００の情報提供部２０２ｃは、ステップＳＢ−４にて統合モデリング部２０２ｄの処理により作成された統合ＢＩＭモデルを、ステップＳＢ−７またはＳＢ−８にて判定部２０２ｆに処理により判定された判定結果とともに端末装置１００へ送信する（ステップＳＢ−９）。
【００８３】
そして、端末装置１００の制御部１０２は、ステップＳＢ−９にて情報提供部２０２ｃの処理によりサーバ装置２００から送信された統合ＢＩＭモデルおよび判定結果を受信する（ステップＳＢ−１０）。
【００８４】
そして、端末装置１００の制御部１０２は、ステップＳＢ−１０にて制御部１０２の処理により受信された統合ＢＩＭモデルおよび判定結果を含むレイアウト画面を生成する（ステップＳＢ−１１）。ステップＳＢ−１１において、例えば、制御部１０２は、上述した図７に示すような、適用地域、認定情報、判定対象の統合ＢＩＭモデルを含む判定結果を示す画面をレイアウト画面として生成する。あるいは、制御部１０２は、上述した図８および図１０に示すような、適用地域、警告情報、判定対象の統合ＢＩＭモデルを含む判定結果を示す画面をレイアウト画面として生成する。ここで、上述した図１０の例では、警告情報は、法規情報を満たさないと判定された統合ＢＩＭモデルに対する根拠条文を含んでいる。また、制御部１０２は、上述した図１１に示すような、適用地域、修正情報、判定対象の統合ＢＩＭモデルを含む判定結果を示す画面をレイアウト画面として生成してもよい。
【００８５】
そして、端末装置１００の制御部１０２は、ステップＳＢ−１１にて制御部１０２の処理により生成されたレイアウト画面を表示部１１４に表示させる（ステップＳＢ−１２）。例えば、制御部１０２は、上述の図７〜図１１に示すような画面をレイアウト画面として表示部１１４に表示させる。ここで、ステップＳＢ−１２において、制御部１０２は、この統合ＢＩＭモデルに組み込まれた昇降機のＢＩＭパーツのパーツ情報をレイアウト画面に含めて表示してもよい。
【００８６】
なお、ステップＳＢ−１２にて端末装置１００の制御部１０２の処理により判定結果を表示した後、制御部１０２は、画面に表示されたＢＩＭパーツを変更してもよい。この場合、図示しないが、上述のステップＳＢ−１１の処理に戻り、制御部１０２は、ステップＳＢ−１２に表示した判定結果にしたがって変更された昇降機のＢＩＭパーツを含むレイアウト画面を生成する。
【００８７】
以上で、第２の実施形態におけるＢＩＭシステムの処理の一例の説明を終える。
【００８８】
［第３の実施形態］
続いて、第３の実施形態について、図１４および図１５を参照して以下に説明する。ここで、図１４は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【００８９】
なお、第３の実施形態においては、全ての機能をＢＩＭ装置４００に集約し、当該ＢＩＭ装置４００は、利用者により入力される作成条件に対応するＢＩＭパーツを記憶部４０６に記憶されたパーツ情報を用いて作成し、作成されたＢＩＭパーツを記憶部４０６に記憶されたＢＩＭモデルに組み込んだ統合ＢＩＭモデルを作成し、作成された統合ＢＩＭモデルを含むレイアウト画面を生成し、生成されたレイアウト画面を表示部４１４に表示させる等の機能を有する。また、ＢＩＭ装置４００は、利用者により入力される適用地域を指定する指定条件に対応する法規情報を記憶部４０６から選択し、表示されたレイアウト画面に含まれる統合ＢＩＭモデルが、選択された法規情報が示す設計基準を満たすか否かを判定し、判定された判定結果を表示部４１４に表示させる等の機能を有する。このように、第３の実施形態は、ＢＩＭ装置４００がスタンドアロン型に構成され単独で処理を行う点がその他の実施形態と異なる。
【００９０】
［第３の実施形態におけるＢＩＭシステムの構成］
まず、第３の実施形態におけるＢＩＭシステムの構成の一例について、図１４を参照して以下に説明する。
【００９１】
図１４に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【００９２】
図１４において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ、および、法規情報データベース４０６ｃ等）についても、サーバ装置２００ではなくＢＩＭ装置４００に備えられている点を除き、各機能が第１の実施形態と同様であるため説明を省略する。
【００９３】
また、制御部４０２の各部については、本実施形態のＢＩＭ装置４００がスタンドアロン型であり、制御部４０２が各送信部を備えていない点を除き、各機能は第１の実施形態と基本的に同様である。
【００９４】
また、図１４において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面生成部４０２ｄ、画面表示部４０２ｅ、適用法規選択部４０２ｆ、判定部４０２ｇ、および、判定結果表示部４０２ｈを備える。
【００９５】
このうち、作成条件設定部４０２ａは、利用者により入力される作成条件を設定する作成条件設定手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。また、作成条件は、利用者により入力部４１８を介して入力されたものであってもよいし、予め作成条件が記憶された外部記憶装置（図示せず）から読み込まれたものであってもよい。
【００９６】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。ここで、昇降機モデリング部４０２ｂは、後述する適用法規選択部４０２ｆにより選択された法規情報が示す設計基準を満たす昇降機のＢＩＭパーツを作成してもよい。また、昇降機モデリング部４０２ｂは、作成した昇降機のＢＩＭパーツを記憶部４０６に格納して、ＢＩＭパーツデータベース（図示せず）を構築してもよい。
【００９７】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ統合ＢＩＭモデルを作成する統合モデリング手段である。ここで、統合モデリング部４０２ｃは、後述する適用法規選択部４０２ｆにより選択された法規情報が示す設計基準を満たす統合ＢＩＭモデルを作成してもよい。また、統合モデリング部４０２ｃは、作成した統合ＢＩＭモデルを記憶部４０６に格納して、統合ＢＩＭモデルデータベース（図示せず）を構築してもよい。
【００９８】
また、画面生成部４０２ｄは、統合モデリング部４０２ｃにより作成された統合ＢＩＭモデルを含むレイアウト画面を生成する画面生成手段である。ここで、画面生成部４０２ｄは、後述する判定結果表示部４０２ｈにより表示された判定結果にしたがって制御部４０２により変更された昇降機のＢＩＭパーツを含むレイアウト画面を生成してもよい。
【００９９】
また、画面表示部４０２ｅは、画面生成部４０２ｄにより生成されたレイアウト画面を表示部４１４に表示させる画面表示手段である。
【０１００】
また、適用法規選択部４０２ｆは、利用者により入力される適用地域を指定する指定条件に対応する、建築物および昇降機に関する設計基準を定めた異なる体系の法規情報を法規情報データベース４０６ｃから選択する適用法規選択手段である。ここで、指定条件は、利用者により入力部４１８を介して入力されたものであってもよいし、予め指定条件が記憶された外部記憶装置（図示せず）から読み込まれたものであってもよい。
【０１０１】
また、判定部４０２ｇは、画面表示部４０２ｅにより表示されたレイアウト画面に含まれる統合ＢＩＭモデルが、適用法規選択部４０２ｆにより選択された法規情報が示す設計基準を満たすか否かを判定する判定手段である。ここで、判定部４０２ｇは、昇降機モデリング部４０２ｂにより作成されたＢＩＭパーツが、適用法規選択部４０２ｆにより選択された法規情報が示す設計基準を満たすか否かを判定してもよい。
【０１０２】
また、判定結果表示部４０２ｈは、判定部４０２ｇにより判定された判定結果を表示部４１４に表示させる判定結果表示手段である。ここで、判定結果表示部４０２ｈは、判定部４０２ｇにより統合ＢＩＭモデルが設計基準を満たさないと判定された場合、警告情報を判定結果として表示部４１４に表示させる。警告情報は、法規情報を満たさないと判定された統合ＢＩＭモデルに対する根拠条文を含んでもよい。また、判定結果表示部４０２ｈは、判定部４０２ｇにより統合ＢＩＭモデルが法規情報を満たさないと判定された場合、統合ＢＩＭモデルが当該法規情報を満たす修正条件を示す修正情報を判定結果として表示部４１４に表示させてもよい。また、判定結果表示部４０２ｈは、判定部４０２ｇにより統合ＢＩＭモデルが法規情報を満たすと判定された場合、統合ＢＩＭモデルが当該法規情報を満たすことを認定する認定情報を判定結果として表示部４１４に表示させる。
【０１０３】
以上で、第３の実施形態におけるＢＩＭシステムの構成の一例の説明を終える。
【０１０４】
［第３の実施形態におけるＢＩＭシステムの処理］
次に、このように構成された第３の実施形態におけるＢＩＭシステムの処理の一例について、以下に図１５を参照して詳細に説明する。図１５は、第３の実施形態におけるＢＩＭシステムの処理の一例を示すフローチャートである。
【０１０５】
図１５に示すように、まず、作成条件設定部４０２ａは、利用者により入力される作成条件を設定する（ステップＳＣ−１）。
【０１０６】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。例えば、昇降機モデリング部４０２ｂは、上述の図４に示すようなエレベータのＢＩＭパーツを作成する。ここで、ステップＳＣ−２において、昇降機モデリング部４０２ｂは、作成条件を満たす複数の昇降機のＢＩＭパーツを作成してもよい。
【０１０７】
そして、統合モデリング部４０２ｃは、ステップＳＣ−２にて昇降機モデリング部４０２ｂの処理により作成された昇降機のＢＩＭパーツを、ＢＩＭモデルデータベース４０６ｂに記憶された建築物のＢＩＭモデルに組み込んだ統合ＢＩＭモデルを作成する（ステップＳＣ−３）。例えば、統合モデリング部４０２ｃは、上述の図５に示すようなエレベータのＢＩＭパーツを建築物のＢＩＭモデルの組み込んだ統合ＢＩＭモデルを作成する。ここで、ステップＳＣ−３において統合モデリング部４０２ｃは、複数の昇降機のＢＩＭパーツから、作成条件に合致する順位にて建築物のＢＩＭモデルに組み込んだ複数の統合ＢＩＭモデルを作成してもよい。
【０１０８】
そして、画面生成部４０２ｄは、ステップＳＣ−３にて統合モデリング部４０２ｃの処理により作成された統合ＢＩＭモデルを含むレイアウト画面を生成する（ステップＳＣ−４）。
【０１０９】
そして、画面表示部４０２ｅは、ステップＳＣ−４にて画面生成部４０２ｄの処理により生成されたレイアウト画面を表示部４１４に表示させる（ステップＳＣ−５）。例えば、画面表示部４０２ｅは、上述の図５に示すような統合ＢＩＭモデルを含むレイアウト画面を表示部４１４に表示させる。ここで、ステップＳＣ−５において、画面表示部４０２ｅは、この統合ＢＩＭモデルに組み込まれた昇降機のＢＩＭパーツのパーツ情報をレイアウト画面に含めて表示してもよい。
【０１１０】
そして、適用法規選択部４０２ｆは、利用者により入力される適用地域を指定する指定条件に対応する、建築物および昇降機に関する設計基準を定めた異なる体系の法規情報を法規情報データベース４０６ｃから選択する（ステップＳＣ−６）。例えば、適用法規選択部４０２ｆは、上述の図６に示すような複数の適用地域を含む適用法規選択画面を表示して、当該適用法規選択画面にて利用者により選択された適用地域に対応付けられた法規情報を法規情報データベース４０６ｃから検索する。ここで、ステップＳＣ−６において、適用法規選択部４０２ｆは、複数の適用地域にそれぞれ対応する複数の法規情報を選択してもよい。
【０１１１】
そして、判定部４０２ｇは、ステップＳＣ−５にて画面表示部４０２ｅの処理により表示されたレイアウト画面に含まれる統合ＢＩＭモデルが、ステップＳＣ−６にて適用法規選択部４０２ｆの処理により選択された法規情報が示す設計基準を満たすか否かを判定する（ステップＳＣ−７）。ここで、ステップＳＣ−７において判定部４０２ｇは、複数の昇降機の統合ＢＩＭモデルがある場合、各統合ＢＩＭモデルについて設計基準を満たすか否かを判定する。
【０１１２】
そして、判定結果表示部４０２ｈは、ステップＳＣ−７にて判定部４０２ｇの処理により判定された判定結果を表示部４１４に表示させる（ステップＳＣ−８またはＳＣ−９）。
【０１１３】
具体的には、判定結果表示部４０２ｈは、ステップＳＣ−７にて判定部４０２ｇの処理により統合ＢＩＭモデルが法規情報を満たすと判定された場合（ステップＳＣ−７：Ｙｅｓ）、統合ＢＩＭモデルが当該法規情報を満たすことを認定する認定情報を判定結果として表示部４１４に表示させる（ステップＳＣ−８）。例えば、判定結果表示部４０２ｈは、上述した図７に示すような、適用地域、認定情報、判定対象の統合ＢＩＭモデルを含む判定結果を示す画面を表示部４１４に表示させる。
【０１１４】
一方、判定結果表示部４０２ｈは、ステップＳＣ−７にて判定部４０２ｇの処理により統合ＢＩＭモデルが設計基準を満たさないと判定された場合（ステップＳＣ−７：Ｎｏ）、警告情報を判定結果として表示部４１４に表示させる（ステップＳＣ−９）。例えば、判定結果表示部４０２ｈは、上述した図８および図１０に示すような、適用地域、警告情報、判定対象の統合ＢＩＭモデルを含む判定結果を示す画面を表示部４１４に表示させる。ここで、上述した図１０の例では、警告情報は、法規情報を満たさないと判定された統合ＢＩＭモデルに対する根拠条文を含んでいる。
【０１１５】
また、ステップＳＣ−９において、判定結果表示部４０２ｈは、判定部４０２ｇの処理により統合ＢＩＭモデルが法規情報を満たさないと判定された場合、統合ＢＩＭモデルが当該法規情報を満たす修正条件を示す修正情報を判定結果として表示部４１４に表示させてもよい。例えば、判定結果表示部４０２ｈは、上述した図１１に示すような、適用地域、修正情報、判定対象の統合ＢＩＭモデルを含む判定結果を示す画面を表示部４１４に表示させる。
【０１１６】
なお、ステップＳＣ−９にて判定結果表示部４０２ｈの処理により判定結果を表示した後、制御部４０２は、画面に表示されたＢＩＭパーツを変更してもよい。この場合、図示しないが、上述のステップＳＣ−４の処理に戻り、画面生成部４０２ｄは、ステップＳＣ−９にて判定結果表示部４０２ｈの処理により表示された判定結果にしたがって制御部４０２により変更された昇降機のＢＩＭパーツを含むレイアウト画面を生成する。
【０１１７】
以上で、第３の実施形態におけるＢＩＭシステムの処理の一例の説明を終える。
【０１１８】
このように、上述した第１〜第３の実施形態によれば、利用者により入力される作成条件に対応するＢＩＭパーツをパーツ情報を用いて作成し、作成されたＢＩＭパーツをＢＩＭモデルに組み込んだ統合ＢＩＭモデルを作成し、作成された統合ＢＩＭモデルを含むレイアウト画面を生成し、生成されたレイアウト画面を表示させるので、利用者は、昇降機の設備計画を提案する際、建築物に昇降機を組み込んだ状態を視覚的に分かりやすく表示することができる。また、上述した第１〜第３の実施形態によれば、建築物に昇降機を組み込んだ状態を表す統合ＢＩＭモデル内のＢＩＭパーツのパーツ情報をレイアウト画面に含めて表示させることもできるので、利用者は、昇降機の詳細として、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番なども確認することができる。これにより、利用者は、昇降機を設置する建築物の設計において、全体的な管理および確認を行えるので、客先の要望をより良く反映した提案が容易となる。その結果、本実施形態によれば、利用者は、打合せ時間を短縮でき、不具合発生率を低減でき、更に、再製作時等のコストを抑制することができる。
【０１１９】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２０】
例えば、上述の実施形態では、昇降機としてエレベータを例について説明したが、エスカレータ、動く歩道等の乗客コンベアについても同様に本発明を適用できる。
【０１２１】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１２２】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１２３】
また、端末装置１００、サーバ装置２００、および、ＢＩＭ装置４００に関して、図示の各構成要素は機能概念的なものであり、必ずしも物理的に図示の如く構成されていることを要しない。
【０１２４】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１２５】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１２６】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１２７】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１２８】
記憶部１０６、記憶部２０６、および、記憶部４０６に格納される各種のデータベース等（ＢＩＭモデルデータベース１０６ａ、法規情報データベース１０６ｂ、パーツ情報データベース２０６ａ、ＢＩＭモデルデータベース２０６ｂ、法規情報データベース２０６ｃ、パーツ情報データベース４０６ａ、ＢＩＭモデルデータベース４０６ｂ、および、法規情報データベース４０６ｃ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１２９】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１３０】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１３１】
以上で説明した実施形態、変形例に係るＢＩＭシステム、サーバ装置、端末装置、ＢＩＭ装置、方法及びプログラムによれば、昇降機の設備計画を提案する際、建築物に昇降機を組み込んだ状態を視覚的に分かりやすく表示することができ、かつ、複数の地域の物件に適用される異なる体系の法規を確認することができる。
【符号の説明】
【０１３２】
１００  端末装置
１０２  制御部
１０２ａ  作成条件送信部
１０２ｂ  統合モデリング部
１０２ｃ  画面生成部
１０２ｄ  画面表示部
１０２ｅ  適用法規選択部
１０２ｆ  判定部
１０２ｇ  判定結果表示部
１０４  通信制御インターフェース部
１０６  記憶部
１０６ａ  ＢＩＭモデルデータベース
１０６ｂ  法規情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  適用法規選択部
２０２ｆ  判定部
２０４  通信制御インターフェース部
２０６  記憶部
２０６ａ  パーツ情報データベース
２０６ｂ  ＢＩＭモデルデータベース
２０６ｃ  法規情報データベース
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  適用法規選択部
４０２ｇ  判定部
４０２ｈ  判定結果表示部
４０６  記憶部
４０６ａ  パーツ情報データベース
４０６ｂ  ＢＩＭモデルデータベース
４０６ｃ  法規情報データベース
４０８  入出力制御インターフェース部
４１４  表示部
４１６  音声出力部
４１８  入力部
【図１】
0005591877.tif 000002
【図２】
0005591877.tif 000003
【図３】
0005591877.tif 000004
【図４】
0005591877.tif 000005
【図５】
0005591877.tif 000006
【図６】
0005591877.tif 000007
【図７】
0005591877.tif 000008
【図８】
0005591877.tif 000009
【図９】
0005591877.tif 000010
【図１０】
0005591877.tif 000011
【図１１】
0005591877.tif 000012
【図１２】
0005591877.tif 000013
【図１３】
0005591877.tif 000014
【図１４】
0005591877.tif 000015
【図１５】
0005591877.tif 000016